(57)【要約】【課題】低コストでありながらも確実に電線の誤接続を防止でき、また容易に電線の誤接続を防止できる機能を備え、さらには、改めて電線の接続が必要となった場合には電線接続のための作業工数を低減でき、作業性に優れた端子カバーを提供すること。【解決手段】器体内に電線を挿入することにより前記挿入された電線を圧着保持し該電線と接続される端子板と鎖状ばねとからなる速結端子を備えるとともに、前記器体に前記速結端子に向けて電線を挿入するための電線挿入孔を設けた速結端子部が設けられた回路遮断器の該速結端子部に装着される端子カバーであって、前記速結端子部における電線挿入孔に圧入される電線挿入孔挿入部を有することを特徴として端子カバーを提供した。【選択図】図１
2007280863.tif 000002
【特許請求の範囲】
【請求項１】
器体内に電線を挿入することにより前記挿入された電線を圧着保持し該電線と接続される端子板と鎖状ばねとからなる速結端子を備えるとともに、前記器体に前記速結端子に向けて電線を挿入するための電線挿入孔を設けた速結端子部が設けられた回路遮断器の該速結端子部に装着される端子カバーであって、前記速結端子部における電線挿入孔に圧入される電線挿入孔挿入部を有することを特徴とする端子カバー。
【請求項２】
前記電線挿入孔に圧入される電線挿入孔挿入部が前記回路遮断器の極数分一体に設けられたことを特徴とする請求項１記載の端子カバー。
【請求項３】
器体内に電線を挿入することにより前記挿入された電線を圧着保持し該電線と接続される端子板と鎖状ばねとからなる速結端子を備えるとともに、前記器体に前記速結端子に向けて電線を挿入するための電線挿入孔を設けた速結端子部と、器体外部から負荷側の配線の絶縁測定を行う検電用孔部とを備えた回路遮断器の前記電線挿入孔に圧入される電線挿入孔挿入部と、前記検電用孔部を塞ぐ検電用孔塞ぎ部とを一体に備えたことを特徴とする端子カバー。
【請求項４】
前記電線挿入孔に圧入される電線挿入孔挿入部と、前記検電用孔部を塞ぐ検電用孔塞ぎ部とが、前記回路遮断器の極数分一体に設けられたことを特徴とする請求項３記載の端子カバー。
【請求項５】
前記電線挿入孔に圧入される電線挿入孔挿入部は、前記速結端子に接続される程度に延設して形成された速結端子接続部を有することを特徴として請求項１乃至請求項４記載の端子カバー。
【請求項６】
前記電線挿入孔挿入部を前記回路遮断器の電線挿入孔に挿入し、
前記検電用孔挿入部を前記回路遮断器の検電用孔部に被せるように配設することにより請求項３乃至請求項５記載の端子カバーを回路遮断器に装着する端子カバー装着方法。
【請求項７】
前記極数分一体に設けられた端子カバーにおいて、各々の極毎に端子カバーを分割する分割手段を備え、各々の極毎に分割可能に設けられたことを特徴とする請求項２又は請求項４又は請求項５記載の端子カバー。
【発明の詳細な説明】
【技術分野】
【０００１】
本発明は回路遮断器の端子カバーに係り、特に速結端子を備えた回路遮断器に装着する端子カバーに関する。
【背景技術】
【０００２】
回路遮断器における端子カバーにあっては、例えば特許文献１に開示されたような、電線接続がねじ端子により行われる回路遮断器における端子カバーが種々開示されている。
【０００３】
一般に回路遮断器は分電盤内の主開閉器として用いられる場合や、分岐開閉器として用いられる場合が多い。分電盤においては、必要とされる分岐回路数に応じて種々型式が設けられているが、分岐回路数を将来的に増加させる可能性がある場合には、予め該分電盤内に予備回路を設けておくため、予め分電盤内の所定の位置に分岐開閉器を設けておく場合がある。
【０００４】
また、分電盤に設けられる分岐開閉器としては、ＪＩＳ  Ｃ  ８３７０  において、主として住宅などの引込口付近、分岐回路などに使用される遮断器として定義されている住宅用分電盤用配線用遮断器や、ＪＩＳ  Ｃ  ８３７１  において、主として住宅などの引込口付近、分岐回路などに使用される漏電遮断器として定義されている住宅用分電盤分岐用漏電遮断器などの安全ブレーカ型の回路遮断器が用いられることが多く、近年では電源側の接続端子としてプラグイン方式の接続端子を備え、負荷側の接続端子として速結端子を備えた安全ブレーカが用いられることが多い。
【０００５】
【特許文献１】特開平６−２５１６８８号  図６
【発明の開示】
【発明が解決しようとする課題】
【０００６】
しかしながら、前記電源側の接続端子としてプラグイン方式の接続端子を備え、負荷側の接続端子として速結端子を備えた安全ブレーカにおいては、従来型の安全ブレーカと比べて、分電盤内に並設される方向の器体の幅方向が約半分の大きさとなっており、当該安全ブレーカを分電盤内に併設した状態で各々の安全ブレーカに電線を接続する作業を行う場合には、電線を接続する器体の幅方向の間隔が従来の安全ブレーカと比べて狭くなるため、電線接続時の作業が煩雑となる。
【０００７】
そのため、予め分電盤内の所定の位置に予備回路として分岐開閉器を設けておく場合、通常では前記予備回路としての分岐開閉器は分岐開閉器の並びのうち端部に設けておくが、分電盤の施工作業時には、電線が多数露出したなかでの作業となるため、施工者からみてどの分岐開閉器が予備回路であるか判別がしづらい場合があり、本来の分岐開閉器と誤って予備回路として設けられた分岐開閉器に電線を接続してしまう可能性があるという課題があった。
【０００８】
また、予備回路として設けた分岐開閉器以外の分岐開閉器への電線接続において、作業手順的に特定の分岐開閉器には一時的に電線を接続しない場合があるが、該電線を接続しない分岐開閉器の区別がしづらく、誤って電線を接続してしまう可能性があるという課題があった。
【０００９】
そこで，本発明はこのような課題に鑑みてなされたものであり，
低コストでありながらも確実に電線の誤接続を防止でき、また容易に電線の誤接続を防止できる機能を備え、さらには、改めて電線の接続が必要となった場合には電線接続のための作業工数を低減でき、作業性に優れた端子カバーを提供することを目的としている。
【課題を解決するための手段】
【００１０】
上記目的を達成するために，請求項１の発明では，器体内に電線を挿入することにより前記挿入された電線を圧着保持し該電線と接続される端子板と鎖状ばねとからなる速結端子を備えるとともに、前記器体に前記速結端子に向けて電線を挿入するための電線挿入孔を設けた速結端子部が設けられた回路遮断器の該速結端子部に装着される端子カバーであって、前記速結端子部における電線挿入孔に圧入される電線挿入孔挿入部を有することを特徴として端子カバーを提供したものである。
【００１１】
このような構成によれば，端子カバーに設けられた電線挿入孔挿入部を電線挿入孔に圧入することにより前記電線挿入孔を確実に塞ぐことができ、該電線挿入孔への電線の誤接続を容易にしかも確実に防止できるものである。
【００１２】
また，前記電線挿入孔に圧入される電線挿入孔挿入部が前記回路遮断器の極数分一体に設けられたことを特徴として構成してもよい。
【００１３】
これにより、回路遮断器に端子カバーを装着する際において、一回の装着で全ての極についてカバーすることができるため効率よく端子カバーを回路遮断器に装着でき、作業性に優れた端子カバーを提供できるものである。
【００１４】
また，器体内に電線を挿入することにより前記挿入された電線を圧着保持し該電線と接続される端子板と鎖状ばねとからなる速結端子を備えるとともに、前記器体に前記速結端子に向けて電線を挿入するための電線挿入孔を設けた速結端子部と、器体外部から負荷側の配線の絶縁測定を行う検電用孔部とを備えた回路遮断器の前記電線挿入孔に圧入される電線挿入孔挿入部と、前記検電用孔部を塞ぐ検電用孔塞ぎ部とを一体に備えたことを特徴として構成してもよい。
【００１５】
これにより、回路遮断器の分電盤への配設状態において、該回路遮断器の器体外部から接触することができる充電部を全て塞ぐように端子カバーを設けることにより、電線の誤接続が確実に防止できるとともに、不用意な充電部への接触による感電事故をも防止でき、作業工数が低減できつつも、作業性に優れ、なおかつ安全性が高い端子カバーを提供することができる。
【００１６】
また、前記電線挿入孔に圧入される電線挿入孔挿入部と、
前記検電用孔部を塞ぐ検電用孔塞ぎ部とが、
前記回路遮断器の極数分一体に設けられたことを特徴として構成してもよい。
【００１７】
これにより、回路遮断器に端子カバーを装着する際において、一回の装着で全ての極についてカバーすることができるため効率よく端子カバーを回路遮断器に装着でき、作業性に優れた端子カバーを提供することができるものである。
【００１８】
前記電線挿入孔に圧入される電線挿入孔挿入部は、前記速結端子に接続される程度に延設して形成された速結端子接続部を有することを特徴として構成してもよい。
【００１９】
これにより、速結端子に端子カバーの一部が保持されることとなり、圧入される電線挿入孔挿入部による保持と加えて、より確実に端子カバーが回路遮断器に保持されることなるため、回路遮断器から端子カバーが外れにくくなり、端子カバーの取り付け保持がより強固に行え信頼性が高い端子カバーを提供できるものである。
【００２０】
また、端子カバーの装着に際して、前記電線挿入孔挿入部を前記回路遮断器の電線挿入孔に挿入し、
前記検電用孔挿入部を前記回路遮断器の検電用孔部に被せるように配設することにより請求項３乃至請求項５記載の端子カバーを回路遮断器に装着する端子カバー装着方法を提供する。
【００２１】
これにより、回路遮断器に端子カバーを装着するにあたり、まず、前記電線挿入孔挿入部を前記回路遮断器の電線挿入孔に挿入することにより、回路遮断器に対して端子カバーを大まかに保持させ位置決めでき、続いて前記検電用孔塞ぎ部で前記回路遮断器の検電用孔を塞ぐように配設することによりスナップ的に端子カバーを回路遮断器に装着できるため、端子カバーの装着に際して手間がかからず、なおかつ迅速に装着ができるものである。また、端子カバーを回路遮断器から取外す際においても、まず端子カバーの前記検電用孔塞ぎ部付近を持ち上げ、続いて電線挿入孔挿入部を電線挿入孔から引き抜くことにより迅速に取外すことができるものである。
【００２２】
また、前記極数分一体に設けられた端子カバーにおいて、各々の極毎に端子カバーを分割する分割手段を備え、各々の極毎に分割可能に設けられたことを特徴として端子カバーを構成してもよい。
【００２３】
これにより、例えば１極分の端子カバーを所望する際において、仮に当初の端子カバーが２極分が一体に設けられた端子カバーであった場合には、該端子カバーを分割することにより容易に１極分の端子カバーを得ることができ、新たに２極分の端子カバーを用意する場合と比べて、低コストでなおかつ迅速に得ることができるものである。
【発明の効果】
【００２４】
本発明によれば，低コストでありながらも確実に電線の誤接続を防止でき、また容易に電線の誤接続を防止できる機能を備え、さらには、改めて電線の接続が必要となった場合には電線接続のための作業工数を低減でき、作業性に優れた端子カバーを提供することが可能となる。
【発明を実施するための最良の形態】
【００２５】
以下に本件発明の実施の形態に係る端子カバーについて，図面を参照しつつ詳細に説明する。
【００２６】
図１は、本発明の第一の実施形態の端子カバーを説明するための該端子カバーの斜視図である。
【００２７】
図中において、１は本発明の端子カバー、２は電線挿入孔挿入部である。
端子カバー１は、該端子カバー１を回路遮断器の端子部に装着する際において電線挿入孔に向けて押圧可能に設けられた押圧面６と、該押圧面６とは反対側の面に突設形成される電線挿入孔挿入部２により構成される。
【００２８】
電線挿入孔挿入部２は回路遮断器の器体に設けられた電線挿入孔に圧入できるよう、当該電線挿入孔の内径よりも若干大きく形成されている。このため、前記電線挿入孔に圧入することにより、端子カバー１自体が電線挿入孔に保持され、装着が完了する。
【００２９】
また、端子カバー１を取外す場合には、前記押圧面６の端部と前記電線挿入孔が設けられる器体の表面との間に工具を差し込むことにより、前記押圧面１１の端部と前記電線挿入孔との間に隙間ができ引張ることにより取外すことが可能である。なお、端子カバー１の押圧面６や該押圧面６の端部に、取り外し用のつまみを設けることにより、該つまみを引張ることで取り外しを行いやすくすることができる。
【００３０】
図２は、本発明の第二の実施形態の端子カバーを説明するための該端子カバーの斜視図である。
【００３１】
本実施の形態においては、回路遮断器の極数が２極の場合を想定した端子カバーの例を示している。図中において、１２は端子カバー、２２は第一の極に挿入される電線挿入孔挿入部、２２１は第二の極に挿入される電線挿入孔挿入部である。
端子カバー１２は、回路遮断器の極数分だけ設けられた電線挿入孔挿入部が一体に形成されたもので、本実施の形態においては、前記端子カバー１を一単位とした場合に該端子カバー１が分割手段５２を介して２つ並設して構成している。
【００３２】
前記分割手段５２は、前記一単位とする端子カバー１同士を繋ぐもので、分割する際には該分割手段を切断したり、折り取って使用する。なお、前記一単位とする端子カバー１同士を隙間を設けずに併設して、略中央部に折り取り用のスリットを設けて端子カバー１２を構成してもよい。
【００３３】
図３は、本発明の第三の実施形態の端子カバーを説明するための該端子カバーの斜視図である。
【００３４】
図中において、１３は端子カバー、２３は電線挿入孔に挿入される電線挿入孔挿入部、３３は検電用孔を塞ぐ検電用孔塞ぎ部である。また４３は回路遮断器に設けられた電線接続表示孔（後述する）に引掛けもしくは挿入される引掛け留め部である。
端子カバー１３は、該端子カバー１３を回路遮断器の端子部に装着する際において電線挿入孔に向けて押圧可能に設けられた押圧面６３と、該押圧面６３とは反対側の面に突設形成される電線挿入孔挿入部２３と、検電用孔塞ぎ部３３と、引掛け留め部４３とが一体に形成された構成である。
【００３５】
図８には極数が２極の回路遮断器の例を示している。回路遮断器１００は該回路遮断器の外郭を構成する器体１と、該器体１の長手方向の一端には電源端子部１０１を備えるとともに他端部には負荷端子部１０２を備え、該負荷端子部１０２の器体内部には、器体内に電線を挿入することにより前記挿入された電線を圧着保持し該電線と接続される端子板と鎖状ばねとからなる速結端子を備えるとともに、前記器体に前記速結端子に向けて電線を挿入するための電線挿入孔１０３を備え、また、器体１の外部から電線を接続したことを確認するために設けられた電線接続表示孔１０５を備え、また、器体１の外部から回路遮断器の負荷側配線の絶縁測定を行うための検電用孔部１０４が器体１に備えられている。
【００３６】
端子カバー１３はその押圧部６３から端部の引掛け留め部４３に至るまでの外形状が略階段形状に設けられており、該階段形状の部分は前記回路遮断器１００の負荷端子部１０２の電線挿入孔１０３から電線接続表示孔１０５に至る段差形状に沿うように合わせた形状としている。
【００３７】
図４は、本発明の第四の実施形態の端子カバーを説明するための該端子カバーの斜視図である。
【００３８】
本実施の形態においては前述した第二の実施形態と同じく、回路遮断器の極数が２極の場合を想定した端子カバーの例を示している。図中において、１４は端子カバー、２４は第一の極に挿入される電線挿入孔挿入部、２４１は第二の極に挿入される電線挿入孔挿入部、３４は第一の極と同一の側の検電用孔を塞ぐ検電用孔塞ぎ部、３４１は第二の極と同一の側の検電用孔を塞ぐ検電用孔塞ぎ部、４４は第一の極と同一の側の電線接続表示孔に引掛けもしくは挿入される引掛け止め部、４４１は第二の極と同一の側の電線接続表示孔に引掛けもしくは挿入される引掛け止め部である。
【００３９】
端子カバー１４は、回路遮断器の極数分だけ設けられた電線挿入孔挿入部及び検電用孔塞ぎ部及び引掛け留め部が一体に形成されたもので、本実施の形態においては、前記端子カバー１３を一単位とした場合に該端子カバー１３が分割手段を介して２つ並設して構成している。
【００４０】
前記分割手段５４は、前記一単位とする端子カバー１３同士を繋ぐもので、分割する際には該分割手段を切断したり、折り取って使用する。なお、前記一単位とする端子カバー１３同士を隙間を設けずに併設して、略中央部に折り取り用のスリットを設けて端子カバー１４を構成してもよい。
【００４１】
図５は、本発明の第五の実施形態の端子カバーを説明するための該端子カバーの斜視図である。
【００４２】
図中において、１５は端子カバーであるが、本実施の形態に示した端子カバー１５は、図３に示した端子カバー１３における電線挿入孔挿入部２３の先端部を、前記速結端子に接続される程度に延設した速結端子接続部７５を設けて構成したものである。
【００４３】
前記速結端子接続部７５を電線挿入孔１０３に挿入した場合、該速結端子接続部７５は、前記鎖状ばねを押し下げるように挿入され、該鎖状ばねにより前記端子板に圧着され、接続保持される。
【００４４】
図６は、本発明の第六の実施形態の端子カバーを説明するための該端子カバーの斜視図である。なお、図７は該第六の実施形態の端子カバーを押圧面６６側から見た斜視図である。
【００４５】
図中において、１６は端子カバーであるが、本実施の形態に示した端子カバー１６は、図４に示した端子カバー１４における電線挿入孔挿入部２４、２４１の先端部を、前記速結端子に接続される程度に延設した速結端子接続部７６、７６１を設けて構成したものである。
【００４６】
前記速結端子接続部７６、７６１をそれぞれ対応する電線挿入孔に挿入した場合、該速結端子接続部７６、７６１は、前記鎖状ばねを押し下げるように挿入され、該鎖状ばねにより前記端子板に圧着されるように接続保持される。
【００４７】
また、分割手段５６が設けられており、前述した分割手段５４同様、分割する際には該分割手段を切断したり、折り取って使用する。なお、前記一単位とする端子カバー１５同士を隙間を設けずに併設して、略中央部に折り取り用のスリットを設けて端子カバー１６を構成してもよい。特に分割手段を設けることにより端子カバーを多極分一度に作成しておく場合など、量産性がより向上できるものである。
【００４８】
図９には回路遮断器１０に端子カバー１６を装着する図を示している。
【００４９】
まず、回路遮断器１０に端子カバー１６を装着するにあたり、まず、前記電線挿入孔挿入部２６を前記回路遮断器１０の電線挿入孔１０３に挿入することにより、回路遮断器１０に対して端子カバー１６を大まかに保持させ位置決めする。続いて前記検電用孔塞ぎ部４６で前記回路遮断器の検電用孔１０４を塞ぐように配設することによりスナップ的に端子カバーを回路遮断器に装着できる。
【００５０】
また、端子カバー１６を回路遮断器１０から取外す際においては、まず端子カバー１６の前記検電用孔塞ぎ部３６付近を持ち上げ、続いて電線挿入孔挿入部を電線挿入孔から引き抜くことにより迅速に取外すことができるものである。
【産業上の利用可能性】
【００５１】
以上説明したように，本発明の端子カバーにおいては、電線挿入孔に圧入もしくは挿入される電線挿入孔挿入部を有して構成しているため、速結端子構造を備えた回路遮断器の端子カバーとしての利用の他、前記速結端子接続部７５、７６、７６１の太さを、本来速結端子に接続する電線と同程度の太さに設けることにより、一旦回路遮断器の負荷側端子部に装着した場合には、解除ボタンを操作しない限り容易には引き抜くことができないため、取り外しを困難とする電線挿入防止カバーとしての利用ができる可能性がある。
【図面の簡単な説明】
【００５２】
【図１】本発明の第一の実施形態の端子カバーを示した外観図である。
【図２】本発明の第二の実施形態の端子カバーを示した外観図である。
【図３】本発明の第三の実施形態の端子カバーを示した外観図である。
【図４】本発明の第四の実施形態の端子カバーを示した外観図である。
【図５】本発明の第五の実施形態の端子カバーを示した外観図である。
【図６】本発明の第六の実施形態の端子カバーを示した外観図である。
【図７】第六の実施形態の端子カバーを示した外観図である。
【図８】回路遮断器を示した外観図である。
【図９】回路遮断器への端子カバーの取り付けを示した図である。
【図１０】背景技術を説明した図である。
【符号の説明】
【００５３】
１  端子カバー
２  電線挿入孔挿入部
３３  検電用孔塞ぎ部
４３  引掛け留め部
５２  分割手段
１０  回路遮断器
１００  器体
１０１  電源端子部
１０２  負荷端子部
１０３  電線挿入孔
１０４  検電用孔部
１０５  電線接続表示孔
【図１】
2007280863.tif 000003
【図２】
2007280863.tif 000004
【図３】
2007280863.tif 000005
【図４】
2007280863.tif 000006
【図５】
2007280863.tif 000007
【図６】
2007280863.tif 000008
【図７】
2007280863.tif 000009
【図８】
2007280863.tif 000010
【図９】
2007280863.tif 000011
【図１０】
2007280863.tif 000012